(57)【要約】【課題】本発明は、タンクに貯留された高温の熱媒体を用いて浴槽水を加熱するいわゆる貯湯式の給湯機であっても、浴槽に対して追い焚き熱交換器が設置される高さの制約を受けずに給湯機の設置の自由度を高めることができる給湯システムを提供することを目的とする。【解決手段】本発明は、浴槽内の浴槽水を加熱する追い焚き熱交換器と、前記浴槽水を加熱するのに用いられる高温の熱媒体を貯留するタンクとを備え、前記追い焚き熱交換器は、前記浴槽に対して、前記追い焚き熱交換器内の水の飽和温度が前記タンクに貯留される高温の熱媒体の温度となる高低差以上の高い位置に配置されており、前記追い焚き熱交換器は、前記タンクの外部に配置され、前記タンクから取り出された高温の熱媒体と浴槽から取り出された浴槽水とを熱交換させることを特徴とする。【選択図】図１
2014047968.tif 000002
【特許請求の範囲】
【請求項１】
浴槽内の浴槽水を加熱する追い焚き熱交換器と、
前記浴槽水を加熱するのに用いられる高温の熱媒体を貯留するタンクとを備え、
前記追い焚き熱交換器は、前記浴槽に対して、前記追い焚き熱交換器内の水の飽和温度が前記タンクに貯留される高温の熱媒体の温度となる高低差以上の高い位置に配置されており、
前記追い焚き熱交換器は、前記タンクの外部に配置され、前記タンクから取り出された高温の熱媒体と浴槽から取り出された浴槽水とを熱交換させることを特徴とする給湯システム。
【請求項２】
前記タンク及び追い焚き熱交換器は、前記浴槽とは異なる高さに配置される給湯機の中に収容されることを特徴とする請求項１に記載の給湯システム。
【請求項３】
前記高温の熱媒体の温度は、９０℃以下とされ、
前記高低差は、３ｍ以上とされることを特徴とする請求項１又は２に記載の給湯システム。
【発明の詳細な説明】
【技術分野】
【０００１】
本発明は、給湯システムに関する。
【背景技術】
【０００２】
従来、浴槽内の浴槽水を加熱する追い焚き熱交換器と、前記浴槽水を加熱するのに用いられる高温の熱媒体を貯留するタンクとを備えたいわゆる貯湯式の給湯機が存在する。
【０００３】
このような給湯機を用いた従来の給湯システムでは、浴槽水を追い焚き熱交換器に導入する際に用いられるポンプの能力等を考慮して、浴槽の高さ位置に対して給湯機を設置できる位置の制約が存在し、各社とも、給湯機を設置できる高さの上限は浴槽よりも一般的に１ｍ程度高い位置までに制限されている。これについて明記されたものの一例としては、非特許文献１のカタログが挙げられる。
【０００４】
また、給湯機の設置に関しては、浴槽から給湯機までの配管長さや曲がりの数などの制約もあるが、実際の施工においては、これらの制約の方が浴槽との高低差の制約よりも問題となることが多い。このような事情から、従来、給湯機を浴槽に対して１ｍ程度以上の高低差で設置する試みは特になされて来なかった。
【先行技術文献】
【非特許文献】
【０００５】
【非特許文献１】日立アプライアンス株式会社、エコキュート  総合カタログ２０１２．６  第３４頁  ［online］  ［平成２４年８月２２日検索］  インターネット＜URL http://kadenfan.hitachi.co.jp/catalog/kyutou/catalog.html＞
【発明の概要】
【発明が解決しようとする課題】
【０００６】
そうした中、発明者らは、浴槽に対して給湯機が設置される高さの制約を受けずに給湯機の設置の自由度を高めることができる給湯システムを実現すべく検討を行った結果、従来の１ｍ程度の高低差では認識されていなかった以下のような新たな問題が存在することを発見した。
【０００７】
具体的に説明すると、発明者らは、タンク内に配置された追い焚き熱交換器に導入して浴槽水をタンク内の熱媒体で加熱する方式の給湯機を用いて試験を行ったところ、給湯機の各種動作を良好に行うことができなかった。具体的には、風呂循環ポンプで浴槽水を循環させることができなくなったり、正常に浴槽の水位を計測することができなくなったりするといった支障が生じた。
【０００８】
これを受けて発明者らが検討したところ、追い焚き熱交換器を浴槽に対して高い位置に配置した場合、追い焚き熱交換器内が負圧となってこの追い焚き熱交換器内の水の飽和温度（沸点）が低下する現象が生じており、タンク内に配置された追い焚き熱交換器に導入して浴槽水をタンク内の熱媒体で加熱する方式の給湯機では、追い焚き熱交換器内の水がその飽和温度よりも高い温度に曝される状態が継続するため、追い焚き熱交換器内の水が沸騰してその周囲の水を押し出して風呂循環配管内の水が落水してしまうことが原因であることを突き止めた。
【０００９】
従来このような問題が認識されていなかったのは、一般的な給湯機ではタンクに貯留される熱媒体の温度は６５℃〜９０℃程度であり、従来のように１ｍ程度の比較的小さな高低差では追い焚き熱交換器内の水の沸点がタンク内の熱媒体の温度よりも低くなる状態が発生しなかったためであると考えられる。
【００１０】
そこで、本発明は、タンクに貯留された高温の熱媒体を用いて浴槽水を加熱するいわゆる貯湯式の給湯機であっても、浴槽に対して追い焚き熱交換器が設置される高さの制約を受けずに給湯機の設置の自由度を高めることができる給湯システムを提供することを目的とする。
【課題を解決するための手段】
【００１１】
本発明は、浴槽内の浴槽水を加熱する追い焚き熱交換器と、前記浴槽水を加熱するのに用いられる高温の熱媒体を貯留するタンクとを備え、前記追い焚き熱交換器は、前記浴槽に対して、前記追い焚き熱交換器内の水の飽和温度が前記タンクに貯留される高温の熱媒体の温度となる高低差以上の高い位置に配置されており、前記追い焚き熱交換器は、前記タンクの外部に配置され、前記タンクから取り出された高温の熱媒体と浴槽から取り出された浴槽水とを熱交換させることを特徴とする。
【発明の効果】
【００１２】
本発明によれば、タンクに貯留された高温の熱媒体を用いて浴槽水を加熱するいわゆる貯湯式の給湯機であっても、浴槽に対して追い焚き熱交換器が設置される高さの制約を受けずに給湯機の設置の自由度を高めることができる。
【図面の簡単な説明】
【００１３】
【図１】本実施形態に係る給湯システムの構成図である。
【図２】試運転（風呂初期設定）の処理を示すフローチャートである。
【図３】湯張り運転の処理を示すフローチャートである。
【図４】追い焚き運転の処理を示すフローチャートである。
【図５】注湯制御の処理を示すフローチャートである。
【図６】給湯優先判定の処理を示すフローチャートである。
【図７】流量制御の処理を示すフローチャートである。
【図８】浴槽内残水確認の処理を示すフローチャートである。
【発明を実施するための形態】
【００１４】
以下、本発明を実施するための形態（以下「実施形態」という）について、適宜図面を参照しながら詳細に説明する。なお、各図において、共通する部分には同一の符号を付し重複した説明を省略する。
≪給湯システム及び給湯機Ｓ≫
まず、本実施形態に係る給湯システム及び給湯機Ｓの構成について、図１を用いて説明する。図１は、本実施形態に係る給湯システム及び給湯機Ｓの構成図である。  図１に示すように、給湯機Ｓは、タンク１と、給湯用の熱交換器２と、給湯用の一次側のポンプ３と、流量調整弁４と、注湯電磁弁５と、遮断弁６と、風呂循環ポンプ７と、追い焚き熱交換器９と、流量センサ１０と、水位センサ１１と、温度センサ１２と、注湯流量センサ１３と、給湯流量センサ１４と、給湯温度センサ１５と、風呂用のポンプ１６と、制御装置５０と、を備え、浴槽１００に配置された浴槽端末１１０および給湯端末１２０に、湯水を供給することができるようになっている。また、浴槽１００内の湯水（浴槽水）を給湯機Ｓに吸い込んで、追い焚き熱交換器９により加熱し、加熱した湯水を浴槽１００に戻すことができるようになっている。なお、タンク１内の熱媒体を沸き上げる加熱手段は省略して図示している。
【００１５】
給湯機Ｓは、具体的には、配管３１、熱交換器２の二次側流路、配管３２，３２ｂからなる給湯流路が形成され、水を加熱して給湯端末１２０に給湯することができるようになっている。
【００１６】
また、配管３１、熱交換器２の二次側流路、配管３２，３２ａ、流量調整弁４、配管３３、注湯電磁弁５、配管３４，３５ａ、遮断弁６、配管３６ａ，３６ｂからなる風呂注湯流路が形成され、水を加熱して浴槽端末１１０に給湯することができるようになっている。なお、配管３６ａは、給湯機Ｓ内に配置されて一端が風呂循環ポンプ７の吐出口に接続される配管であり、配管３６ｂは、給湯機Ｓと浴槽端末１１０とを接続する配管であり、配管３６ａと配管３６ｂとは継ぎ手によって接続される。配管３６ｂは、給湯機Ｓが設置される場所において施工される配管であり、給湯機Ｓが設置される場所によって長さ、高さ、曲がりの数等が異なる。
【００１７】
また、浴槽端末１１０、配管３６ａ，３６ｂ、遮断弁６、配管３５ａ，３５ｂ、風呂循環ポンプ７、配管３７、追い焚き熱交換器９、配管４０ａ，４０ｂからなる風呂循環回路が形成され、浴槽１００と追い焚き熱交換器９との間で浴槽水を循環させることができるようになっている。なお、配管４０ａは、給湯機Ｓ内に配置されて一端が追い焚き熱交換器９の出口側に接続される配管であり、配管４０ｂは、給湯機Ｓと浴槽端末１１０とを接続する配管であり、配管４０ａと配管４０ｂとは継ぎ手によって接続される。配管４０ｂは、給湯機Ｓが設置される場所において施工される配管であり、給湯機Ｓが設置される場所によって長さ、高さ、曲がりの数等が異なる。
【００１８】
次に、給湯機Ｓの各部について説明する。
【００１９】
タンク１は、高温の熱媒体（例えば、水）が貯留されるようになっている。なお、図１では省略するが、給湯機Ｓは、タンク１の内部の熱媒体を加熱する加熱手段（図示せず）を備えている。例えば、加熱手段はヒートポンプであり、タンク１の下部に接続された図示しない配管からタンク１の内部の熱媒体（水）を取り込んで加熱し、加熱された高温の熱媒体（湯）をタンク１の上部から戻すようになっている。これにより、タンク１の内部には、高温の熱媒体が貯留されるようになっている。ここで、一般的な給湯機では、タンクに貯留される熱媒体の温度は、最低温度が６５℃、最高温度が９０℃（場合によっては８５℃）に設定されるものが一般的である。
【００２０】
タンク１には、タンク１の上部に接続される配管２１と、熱交換器２の一次側流路と、配管２２と、ポンプ３と、タンク１の下部に接続される配管２３と、からなる熱媒体循環路が形成され、ポンプ３を動作させることにより、熱媒体をタンク１と熱交換器２の一次側流路との間で循環させることができるようになっている。
【００２１】
また、タンク１には、タンク１の上部からの熱媒体を流通させる配管４１と、追い焚き熱交換器９の一次側流路と、配管４２と、ポンプ１６と、タンク１の下部への熱媒体を流通させる配管２３と、からなる熱媒体循環路が形成され、ポンプ１６を動作させることにより、熱媒体をタンク１と追い焚き熱交換器９の一次側流路との間で循環させることができるようになっている。
【００２２】
配管３１は、上流端が給水源（例えば、水道）に接続され、下流端は熱交換器２の二次側流路の入口に接続されている。
【００２３】
熱交換器２は、一次側流路の熱媒体と二次側流路の水とで、熱交換することができるようになっている。即ち、熱交換器２は、二次側流路の入口に接続された配管３１から流入した水を加熱して高温の湯とし、二次側流路の出口に接続された配管３２に流出させることができるようになっている。
【００２４】
なお、制御装置５０は、ポンプ３の動作（回転速度）を制御することにより、二次側流路の出口から流出する湯の温度を制御することができるようになっている。即ち、熱交換器２、ポンプ３および制御装置５０で、端末（浴槽端末１１０、給湯端末１２０）に給湯する湯の温度を制御する温度制御手段として機能するようになっている。
【００２５】
また、制御装置５０は、ポンプ１６の動作（回転速度）を制御することにより、二次側流路の出口から流出する湯の温度を制御することができるようになっている。即ち、追い焚き熱交換器９、ポンプ１６および制御装置５０で、追い焚きする湯の温度を制御する温度制御手段として機能するようになっている。
【００２６】
配管３２は、浴槽端末１１０に給湯する配管３２ａと給湯端末１２０に給湯する配管３２ｂに分岐し、配管３２ａは流量調整弁４と接続され、配管３２ｂは給湯端末１２０と接続されている。
【００２７】
流量調整弁４は、浴槽端末１１０に供給される湯の流量を調整するものであり、一端が配管３２ａと接続され、他端が配管３３と接続されている。
【００２８】
流量調整弁４は、制御装置５０により、その調整弁の開度（流量）を制御されるようになっている。即ち、流量調整弁４および制御装置５０で、浴槽端末１１０に注湯する湯の流量を制御する流量制御手段として機能するようになっている。
【００２９】
配管３３は、一端が流量調整弁４に接続され、他端が注湯電磁弁５に接続されている。
【００３０】
注湯電磁弁５は、電磁作動式の遮断弁であり、制御装置５０により、開閉制御されるようになっている。注湯電磁弁５を閉弁することにより、浴槽端末１１０への給湯を遮断する。即ち、注湯電磁弁５および制御装置５０で、浴槽端末１１０に注湯する風呂注湯手段として機能するようになっている。
【００３１】
なお、注湯電磁弁５には、浴槽水が給湯端末１２０に給湯する回路（配管３２，３２ｂ）に逆流しないように、逆流防止機能（図示せず）を備えている。また、注湯電磁弁５は、非通電時に閉弁するような構造（常時閉型）の電磁弁である。
【００３２】
遮断弁６は、開閉弁であり、一端が配管３５ａと接続され、他端が配管３６ａと接続されている。即ち、遮断弁６は、注湯電磁弁５の下流で、分岐点３５と浴槽端末１１０とを接続する配管３５ａ，３６ａの間に配置させる。
【００３３】
遮断弁６は、制御装置５０により、開閉制御されるようになっている。遮断弁６を開弁することにより、浴槽１００（浴槽端末１１０）と注湯電磁弁５とを接続する流路を遮断するとともに、浴槽１００（浴槽端末１１０）と追い焚き熱交換器９とを接続する往復路の一方を遮断する。即ち、遮断弁６および制御装置５０で、風呂循環回路開閉手段として機能するようになっている。
【００３４】
なお、遮断弁６は、注湯電磁弁５と異なり、逆流防止機能（図示せず）を備えていない。また、遮断弁６は、非通電時に閉弁するような構造の電磁弁である必要はない。遮断弁６としては、例えば、モータにより動作するボールバルブ等を用いることができる。
【００３５】
風呂循環ポンプ７は、後述する追い焚き運転時や浴槽内残水確認時に動作するものであり、浴槽１００に張られた浴槽水を追い焚き熱交換器９との間で循環させる機能を有している。ここで、風呂循環ポンプ７は、分岐点３５と追い焚き熱交換器９とを接続する配管３５ｂ，３７の間に配置させる。
【００３６】
ちなみに、風呂循環ポンプ７は、遮断弁６の近くに配設する。これは、後述するように配管３６ａ，３６ｂ内は残水で満たされており、遮断弁６を開弁したときに、風呂循環ポンプ７が配管３６ａ，３６ｂ内の残水を配管３７の側に循環しやすくするためである。風呂循環ポンプ７と遮断弁６とを接続する配管の長さ（配管３５ａ，３５ｂの長さ）は、例えば、２ｍ以内となるようにすることが望ましい。なお、この長さは、風呂循環ポンプ７の能力に応じて設定する。
【００３７】
風呂循環ポンプ７は、制御装置５０により、動作・停止や動作時の回転速度が制御されるようになっている。即ち、風呂循環ポンプ７および制御装置５０で、浴槽１００と追い焚き熱交換器９との間で浴槽水を循環させる風呂循環手段として機能するようになっている。
【００３８】
追い焚き熱交換器９は、タンク１の外部に配設され、タンク１から取り出された高温の熱媒体と浴槽から取り出された浴槽水とで、熱交換することができるようになっている。即ち、追い焚き熱交換器９は、配管３７から流入した浴槽水を流すことで加熱して、配管４０ａに流出させることができるようになっている。
【００３９】
配管３６ａには、前記のとおり浴槽水の循環を検知するための流量センサ１０が配設されている。また、配管３６ａには、前記のとおり循環する浴槽水の温度を検知するための温度センサ１２が配設されている。流量センサ１０および温度センサ１２の検出値は、制御装置５０に出力されるようになっている。なお、流量センサ１０および温度センサ１２の配設位置は、これに限られるものではなく、例えば、配管３７や配管４０ａ等に設けてもよい。
【００４０】
また、配管３６ａには、前記のとおり浴槽１００の水位を検知する水位センサ１１が配設されている。水位センサ１１の検出値は、制御装置５０に出力されるようになっている。
【００４１】
なお、水位センサ１１は、圧力により水位を検出するセンサであり、浴槽１００から水位センサ１１が配設された位置よりも上まで水があることにより、浴槽１００の水位を検出することができるようになっている。換言すれば、配管３６ａ，３６ｂ内の残水が落水すると、水位センサ１１は浴槽１００の水位を検出することができなくなる。
【００４２】
ここで、水位センサ１１は、遮断弁６から充分に距離を設けた下流に設置する。例えば、遮断弁６から約５０ｃｍ下流に水位センサ１１を配設する。これは、遮断弁６が徐々に閉じる際、風呂注湯流量が減少して配管３６ａ，３６ｂ内に残った空気が遮断弁６まで逆流したとき、逆流した空気が水位センサ１１より上流の配管３６ａ内で溜るようにして、浴槽１００から水位センサ１１が配設された位置よりも上まで水がある状態とするためである。また、水位センサ１１を配管３６ａに配設することにより、配管４０ａに配設する場合と比較して、注湯時により確実に水位センサ１１を水（湯）で満たすことができる。また、水位センサ１１を配管３６ａに配設することで、遮断弁６を閉弁することにより、追い焚き熱交換器９と水位センサ１１とを隔てることができるようになっている。
【００４３】
注湯電磁弁５の下流側には、風呂注湯手段（注湯電磁弁５）から浴槽１００へ注湯される湯の流量を検出するための注湯流量センサ１３が配設されている。注湯流量センサ１３の検出値は、制御装置５０に出力されるようになっている。
【００４４】
配管３２ｂには、給湯端末１２０へ給湯される湯の流量を検出するための給湯流量センサ１４が配設されている。また、配管３２ｂには、給湯端末１２０へ給湯される湯の温度を検知するための給湯温度センサ１５が配設されている。給湯流量センサ１４および給湯温度センサ１５の検出値は、制御装置５０に出力されるようになっている。
【００４５】
制御装置５０は、ポンプ３、流量調整弁４、注湯電磁弁５、遮断弁６、風呂循環ポンプ７、および、ポンプ１６を制御することにより、給湯機Ｓ全体を制御することができるようになっている。また、制御装置５０には、流量センサ１０、水位センサ１１、温度センサ１２、注湯流量センサ１３、給湯流量センサ１４、および、給湯温度センサ１５の検出値が入力されるようになっている。
≪作用・効果≫
次に、本実施形態に係る給湯システムの作用および効果について説明する。まず、本実施形態に係る給湯システムの説明の前に、従来の給湯システムにおける配管内の湯水の抜け（落水）について、説明する。
【００４６】
例えば、給湯機Ｓを屋上に設置し１階に浴槽１００を設置する場合のように、給湯機Ｓよりも下方に浴槽１００を設置する場合、給湯機Ｓと浴槽１００とをつなぐ風呂循環回路の配管（配管３６ａ，３６ｂ，３５ａ，３５ｂ，３７，４０ａ，４０ｂ；以下、風呂循環配管と称する。）には、高低差により負圧が生じる。このとき、風呂循環配管内に生じた負圧により、風呂循環配管（特に、配管３６ａ，３６ｂ）内の残水は浴槽１００に落水するおそれがある。
【００４７】
特に追い焚き熱交換器９が収容されている給湯機を浴槽より高い位置に設置すると、風呂循環配管と接続された追い焚き熱交換器９内に負圧が生じるため、負圧により追い焚き熱交換器９内の水の飽和温度（沸点）が低下する。このため、タンク内に配置された追い焚き熱交換器に導入して浴槽水をタンク内の熱媒体で加熱する方式の給湯機では、追い焚き熱交換器内の水がその飽和温度よりも高い温度に曝される状態が継続するため、追い焚き熱交換器内の水が沸騰して追い焚き熱交換器９の内部にエア（蒸気）溜りが生じたり、その周囲の水を押し出したりしてしまい、風呂循環配管内の水が浴槽１００に落水してしまう。
【００４８】
ここで、水の圧力と飽和温度の関係を（表１）に示す。
【００４９】
【表１】
2014047968.tif 000003
【００５０】
例えば、追い焚き熱交換器９よりも約７ｍ下方に浴槽１００を設置した場合、追い焚き熱交換器９内に生じる圧力は約３０［ｋＰａ］となる。したがって、水の飽和温度（沸点）は約６９［℃］になる。このため、タンク内に配置された追い焚き熱交換器に導入して浴槽水をタンク内の熱媒体で加熱する方式の給湯機では、タンク１内の熱媒体の温度が追い焚き熱交換器９の水の飽和温度（例えば、約６９［℃］）より高い場合、追い焚き熱交換器９の水は飽和温度に達して沸騰する。このように、追い焚き熱交換器９の中の水が沸騰することにより、追い焚き熱交換器９の内部にエア（蒸気）溜りが生じる。
【００５１】
一般的な給湯機では、熱源による熱媒体の沸き上げ温度は６５℃〜９０℃（給湯機によっては６５℃〜８５℃）であることから、タンクに貯留される熱媒体の温度は６５℃〜９０℃（給湯機によっては６５℃〜８５℃）程度となる。従って、浴槽１００（厳密には浴槽端末１１０）を基準とした追い焚き熱交換器の高低差が例えば７．５ｍであれば水の飽和温度が６５℃となり、高低差４．２ｍであれば水の飽和温度が８５℃となり、高低差３ｍであれば水の飽和温度が９０℃となる。従って、タンク内に配置された追い焚き熱交換器に導入して浴槽水をタンク内の熱媒体で加熱する方式の給湯機では、沸き上げ温度（延いてはタンクに貯留される熱媒体の温度）が９０℃の場合には３ｍ程度の高低差で沸騰が生じてしまう。通常、追い焚き熱交換器は給湯機の設置面から１．５ｍ程度の高さに配置されることから、実質的には浴槽端末から給湯機の設置面までの高さは１．５ｍ程度までに留めなければならないこととなる。
【００５２】
これに対し、本実施形態に係る給湯システムでは、追い焚き熱交換器９がタンク１の外部に配置されるため、追い焚き熱交換器９内の水が高温に曝される状態が継続することがないため、高低差が原因となって沸騰することにより落水することを良好に防止できる。従って、追い焚き熱交換器９を、浴槽１００に対して、追い焚き熱交換器９内の水の飽和温度がこの追い焚き熱交換器９に供給されるべくタンク１に貯留される熱媒体の温度以下となるような高低差以上の高い位置に配置することも可能となり、タンク１に貯留された高温の熱媒体を用いて浴槽水を加熱するいわゆる貯湯式の給湯機Ｓであっても、浴槽１００に対して追い焚き熱交換器９が設置される高さの制約を受けずに給湯機Ｓの設置の自由度を高めることができる。
【００５３】
特に、一般的な給湯機では沸き上げ温度が最高で９０℃であることを考慮すると、タンク内に追い焚き熱交換器を有する給湯機が用られる給湯システムでは沸騰による落水が生じてしまう３ｍ以上の高低差であっても、本実施形態に係る給湯システムではこのような問題が生じず、本実施形態に係る給湯システムの効果が顕著である。
【００５４】
なお、追い焚き動作中は、浴槽水がこの浴槽水の飽和温度よりも高温の熱媒体と熱交換して沸騰する場合もあり得るが、追い焚き熱交換器９に浴槽水が次々に供給されるために沸騰によって発生した蒸気は追い焚き熱交換器９から浴槽１１０へ向けて良好に押し出されることとなり、落水の問題が発生することはない。
【００５５】
なお、この他にも、従来の給湯システムや給湯機では、以下のような原因により配管内の湯水の抜け（落水）が生じる場合がある。
【００５６】
例えば、給湯機Ｓよりも下方に浴槽端末１１０を設置し、１つの温度制御手段（熱交換器２、ポンプ３）で浴槽端末１１０および給湯端末１２０に給湯する構成において、浴槽端末１１０への風呂注湯要求と給湯端末１２０への給湯要求が同時に発生した場合、給湯端末１２０への給湯を優先するため、給湯端末１２０への給湯の間、浴槽端末１１０への風呂注湯を中断する。このとき、注湯電磁弁５を閉じると、給湯機Ｓと浴槽端末１１０をつなぐ風呂循環配管内には負圧が生じる。風呂循環配管内に生じた負圧により、風呂循環配管内の残水は浴槽１００に落水する場合がある。
【００５７】
また、浴槽１００に所定の湯を出湯する注湯電磁弁５は、浴槽水が給湯端末１２０に給湯する回路（配管３２，３２ｂ）に逆流しないように、逆流防止機能（図示せず）を備え、その構造から配管３４内に生じた負圧により外部から吸気し、配管３４，３５ａ，３６ａ，３６ｂ内の残水は浴槽１００に落水する。このため、配管３４，３５ａ，３６ａ，３６ｂ内には残水がなくなり配管３４，３５ａ，３６ａ，３６ｂ内は空になる。
【００５８】
このように、風呂循環配管内の残水が空であったり、エア溜りが発生したりすると、従来の給湯機においては、配管３４，３５ａ，３６ａ，３６ｂ内の残水が落水して、風呂循環ポンプ７で浴槽水を循環させることができなくなったり、正常に浴槽１００の水位を計測することができなくなったりすることにより、給湯機の各種動作に支障をきたす場合がある。また、このような課題を解決するために、例えば特開２０１０−７１５１１号のように呼水をする方法もあるが、浴槽１００に湯水が供給されることとなり、使用者に違和感をあたえるおそれがある。
【００５９】
これに対しては、遮断弁６を備えることが効果的である。遮断弁６を閉弁することにより、注湯電磁弁５と配管３６ａ，３６ｂとを隔てることができるようになっている。これにより、注湯電磁弁５が負圧により外気を吸気しても、吸気された空気が配管３６ａ，３６ｂ内に流入することを防止できるので、配管３６ａ，３６ｂ内の残水が浴槽１００に落水することを防止することができる。
【００６０】
また、遮断弁６を閉弁することにより、配管３６ａ，３６ｂと追い焚き熱交換器９とを隔てることができるようになっている。これにより、追い焚き熱交換器９の内部で生じたエア溜りが配管３６ａ，３６ｂまで混入して配管３６ａ，３６ｂ内の残水が浴槽１００に落水することを防止することができる。加えて、測定中は遮断弁６を閉弁して、水位センサ１１と追い焚き熱交換器９とを隔てることができるようになっているため、追い焚き熱交換器９の内部にエア溜りが生じて配管内の圧力が変化しても、配管３６ａ，３６ｂはその影響を受けることがなく、水位センサ１１はより適切な水位を検出することができる。
【００６１】
このように、遮断弁６を閉弁することにより、配管３６ａ，３６ｂ内の残水が浴槽１００に落水することを防止することができるので、配管３６ａに配設された水位センサ１１を水で満たすことができ、好適に浴槽１００の水位を検出することができる。従って、給湯機Ｓと浴槽１００の設置位置の自由度を向上させることができる。
≪給湯機の運転動作≫
次に、給湯機Ｓの各種運転の動作について、図２から図８を用いて説明する。
【００６２】
給湯機Ｓは、給湯端末１２０に湯水を供給する「給湯運転」、給湯機Ｓの初期設定を行う「試運転（風呂初期設定）」、浴槽１００（浴槽端末１１０）に湯水を供給する「湯張り運転」、浴槽１００内の湯水（浴槽水）を加熱する「追い焚き運転」、浴槽１００内の湯水の設定温度である風呂設定温度と同温度の湯水を浴槽１００に供給する「たし湯運転」、風呂設定温度より高温の湯水を浴槽１００に供給する「さし湯運転」、風呂設定温度より低温の湯水を浴槽１００に供給する「さし水運転」等を行うことができるようになっている。
＜給湯運転＞
まず、給湯運転について説明する。制御装置５０は、給湯流量センサ１４で流量を検知すると、給湯要求があると判定し、ポンプ３を動作させ、給湯温度センサ１５で検知した温度が給湯設定温度となるように、ポンプ３の回転速度を制御する。
【００６３】
また、制御装置５０は、給湯流量センサ１４で流量の停止を検知すると、給湯要求が終了したと判定し、ポンプ３を停止させる。
＜試運転（風呂初期設定）＞
次に、試運転（風呂初期設定）について、図２のフローチャートを用いて説明する。ステップＳ２０１において、制御装置５０は、注湯電磁弁５、遮断弁６等を制御して、「注湯制御」を実行し、浴槽１００に所定量注湯する。なお、「注湯制御」の詳細は、図５から図７を用いて後述する。
【００６４】
ちなみに、ステップＳ２０１における注湯は、風呂循環配管（配管３６ａ，３６ｂ，３５ａ，３５ｂ，３７，４０ａ，４０ｂ）および風呂循環ポンプ７に呼水を行うためのものであり、注湯する所定量もそれに基づいて決定される。
【００６５】
ステップＳ２０２において、制御装置５０は、遮断弁６、風呂循環ポンプ７等を制御して、浴槽１００内に湯水があるか否かを判定するための「浴槽内残水確認」を実行する。なお、「浴槽内残水確認」の詳細は、図８を用いて後述する。
【００６６】
ステップＳ２０３において、制御装置５０は、ステップＳ２０２の結果が「浴槽内残水有り」であるか否かを判定する。ステップＳ２０２の結果が「浴槽内残水有り」である場合（Ｓ２０３・Ｙｅｓ）、制御装置５０の処理はステップＳ２０９に進む。ステップＳ２０２の結果が「浴槽内残水有り」でない場合（Ｓ２０３・Ｎｏ）、制御装置５０の処理はステップＳ２０４に進む。
【００６７】
ステップＳ２０４において、制御装置５０は、注湯電磁弁５、遮断弁６等を制御して、詳細は後述する「注湯制御」を実行し、浴槽１００に所定量注湯する。
【００６８】
ステップＳ２０５において、制御装置５０は、遮断弁６、風呂循環ポンプ７等を制御して、浴槽１００内に湯水があるか否かを判定するための詳細は後述する「浴槽内残水確認」を実行する。
【００６９】
ステップＳ２０６において、制御装置５０は、ステップＳ２０５の結果が「浴槽内残水有り」であるか否かを判定する。ステップＳ２０５の結果が「浴槽内残水有り」である場合（Ｓ２０６・Ｙｅｓ）、制御装置５０の処理はステップＳ２１０に進む。ステップＳ２０５の結果が「浴槽内残水有り」でない場合（Ｓ２０６・Ｎｏ）、制御装置５０の処理はステップＳ２０７に進む。
【００７０】
ステップＳ２０７において、制御装置５０は、リトライカウントが所定のリトライ制限回数に到達したか否かを判定する。所定のリトライ制限回数に到達した場合（Ｓ２０７・Ｙｅｓ）、制御装置５０の処理はステップＳ２０９に進む。所定のリトライ制限回数に到達していない場合（Ｓ２０７・Ｎｏ）、制御装置５０の処理はステップＳ２０８に進み、リトライカウントを＋１（インクリメント）して、ステップＳ２０４に戻る。
【００７１】
そして、残水を検知する（Ｓ２０６・Ｙｅｓ）、または、リトライ制限回数に到達する（Ｓ２０７・Ｙｅｓ）まで、ステップＳ２０４からステップＳ２０８を繰り返す。
【００７２】
なお、リトライカウントは、試運転（風呂初期設定）開始時は０であり、ステップＳ２０８が処理される（即ち、ステップＳ２０４からステップＳ２０８までが処理される）毎に１増える値である。
【００７３】
ステップＳ２０９において、制御装置５０は、試運転（風呂初期設定）を中止する。
【００７４】
なお、ステップＳ２０３において「浴槽内残水有り」である場合（Ｓ２０３・Ｙｅｓ）は、既に浴槽１００内に残水があるため、初期設定ができない場合である。また、ステップＳ２０７において所定のリトライ制限回数に到達した場合（Ｓ２０７・Ｙｅｓ）は、浴槽１００に水が溜められない状態（例えば、栓が抜けている等）であるため、初期設定ができない場合である。
【００７５】
ステップＳ２１０において、制御装置５０は、注湯電磁弁５、遮断弁６等を制御して、詳細は後述する「注湯制御」を実行し、浴槽１００に所定量注湯する。ステップＳ２１１において、制御装置５０は、水位センサ１１を介して、浴槽１００の水位を検出する。
【００７６】
ステップＳ２１２において、制御装置５０は、注湯電磁弁５、遮断弁６等を制御して、詳細は後述する「注湯制御」を実行し、浴槽１００に所定量注湯する。ステップＳ２１３において、制御装置５０は、水位センサ１１を介して、浴槽１００の水位を検出する。
【００７７】
ステップＳ２１４において、制御装置５０は、注湯電磁弁５、遮断弁６等を制御して、詳細は後述する「注湯制御」を実行し、浴槽１００に所定量注湯する。ステップＳ２１５において、制御装置５０は、水位センサ１１を介して、浴槽１００の水位を検出し、試運転（風呂初期設定）を終了する。
【００７８】
このように、試運転（風呂初期設定）は、風呂循環配管（配管３６ａ，３６ｂ，３５ａ，３５ｂ，３７，４０ａ，４０ｂ）および風呂循環ポンプ７に呼水を行う（Ｓ２０１）とともに、所定量の注湯（Ｓ２１０，Ｓ２１２，Ｓ２１４）と浴槽１００の水位検知（Ｓ２１１，Ｓ２１３，Ｓ２１５）を繰り返すことにより、注湯量と水位との対応マップを作成し、初期設定することができる。
＜湯張り運転＞
次に、湯張り運転について、図３のフローチャートを用いて説明する。ステップＳ３０１において、制御装置５０は、遮断弁６、風呂循環ポンプ７等を制御して、浴槽１００内に湯水があるか否かを判定するための詳細は後述する「浴槽内残水確認」を実行する。
【００７９】
ステップＳ３０２において、制御装置５０は、ステップＳ３０１の結果が「浴槽内残水有り」であるか否かを判定する。ステップＳ３０１の結果が「浴槽内残水有り」である場合（Ｓ３０２・Ｙｅｓ）、制御装置５０の処理はステップＳ３０８に進む。ステップＳ３０１の結果が「浴槽内残水有り」でない場合（Ｓ３０２・Ｎｏ）、制御装置５０の処理はステップＳ３０３に進む。
【００８０】
ステップＳ３０３において、制御装置５０は、注湯電磁弁５、遮断弁６等を制御して、詳細は後述する「注湯制御」を実行し、浴槽１００に所定量注湯する。
【００８１】
ステップＳ３０４において、制御装置５０は、遮断弁６、風呂循環ポンプ７等を制御して、浴槽１００内に湯水があるか否かを判定するための詳細は後述する「浴槽内残水確認」を実行する。
【００８２】
ステップＳ３０５において、制御装置５０は、ステップＳ３０４の結果が「浴槽内残水有り」であるか否かを判定する。ステップＳ３０４の結果が「浴槽内残水有り」である場合（Ｓ３０５・Ｙｅｓ）、制御装置５０の処理はステップＳ３０８に進む。ステップＳ３０４の結果が「浴槽内残水有り」でない場合（Ｓ３０５・Ｎｏ）、制御装置５０の処理はステップＳ３０６に進む。
【００８３】
ステップＳ３０６において、制御装置５０は、リトライカウントが所定のリトライ制限回数に到達したか否かを判定する。所定のリトライ制限回数に到達した場合（Ｓ３０６・Ｙｅｓ）、制御装置５０の処理はステップＳ３１２に進む。所定のリトライ制限回数に到達していない場合（Ｓ３０６・Ｎｏ）、制御装置５０の処理はステップＳ３０７に進み、リトライカウントを＋１（インクリメント）して、ステップＳ３０３に戻る。
【００８４】
そして、残水を検知する（Ｓ３０５・Ｙｅｓ）、または、リトライ制限回数に到達する（Ｓ３０６・Ｙｅｓ）まで、ステップＳ３０３からステップＳ３０７を繰り返す。
【００８５】
なお、リトライカウントは、湯張り運転開始時は０であり、ステップＳ３０７が処理される（即ち、ステップＳ３０３からステップＳ３０７までが処理される）毎に１増える値である。
【００８６】
ステップＳ３０８において、制御装置５０は、水位センサ１１を介して、浴槽１００の水位を検出する。
【００８７】
ステップＳ３０９において、制御装置５０は、注湯電磁弁５、遮断弁６等を制御して、詳細は後述する「注湯制御」を実行し、浴槽１００に所定量注湯する。ちなみに、ステップＳ３０９で注湯する所定量は、ステップＳ３０８で検出した水位と、浴槽１００の目標水位と、注湯量と水位との対応マップと、に基づいて、決定される。
【００８８】
ステップＳ３１０において、制御装置５０は、遮断弁６、風呂循環ポンプ７等を制御して、浴槽１００内に湯水があるか否かを判定するための詳細は後述する「浴槽内残水確認」を実行する。
【００８９】
ステップＳ３１１において、制御装置５０は、ステップＳ３１０の結果が「浴槽内残水有り」であるか否かを判定する。ステップＳ３１０の結果が「浴槽内残水有り」である場合（Ｓ３１１・Ｙｅｓ）、制御装置５０は湯張り運転を終了する。ステップＳ３０１の結果が「浴槽内残水有り」でない場合（Ｓ３１１・Ｎｏ）、制御装置５０の処理はステップＳ３１２に進む。
【００９０】
ステップＳ３１２において、制御装置５０は、湯張り運転を中止する。
【００９１】
なお、ステップＳ３０６において所定のリトライ制限回数に到達した場合（Ｓ３０６・Ｙｅｓ）は、浴槽１００に水が溜められない状態（例えば、栓が抜けている等）であるため、初期設定ができない場合である。また、ステップＳ３１１において「浴槽内残水有り」でない場合（Ｓ３１１・Ｎｏ）は、湯張り中になんらかの異常が発生した場合（例えば、湯張り中に栓が抜かれた等）である。
＜追い焚き運転＞
次に、追い焚き運転について図４のフローチャートを用いて説明する。ステップＳ４０１において、制御装置５０は、遮断弁６、風呂循環ポンプ７等を制御して、浴槽１００内に湯水があるか否かを判定するための詳細は後述する「浴槽内残水確認」を実行する。ちなみに、ステップＳ４０１において、後述する図８に示すように、遮断弁６は開弁し、風呂循環ポンプ７は動作（ＯＮ）している状態となっている。
【００９２】
ステップＳ４０２において、制御装置５０は、ステップＳ４０１の結果が「浴槽内残水有り」であるか否かを判定する。ステップＳ４０１の結果が「浴槽内残水有り」である場合（Ｓ４０２・Ｙｅｓ）、制御装置５０の処理はステップＳ４０３に進む。ステップＳ４０１の結果が「浴槽内残水有り」でない場合（Ｓ４０２・Ｎｏ）、制御装置５０の処理はステップＳ４０５に進む。
【００９３】
ステップＳ４０３において、制御装置５０は、風呂加熱制御を実施する。具体的には、制御装置５０は、遮断弁６を開弁し、風呂循環ポンプ７を動作させる状態を継続して、浴槽１００と追い焚き熱交換器９との間で浴槽水を循環させることにより、浴槽水を加熱する。制御装置５０は、ポンプ１６の動作（回転速度）を制御することにより、配管４０ａ，４０ｂを経由して浴槽端末１１０から浴槽１００内に吐出される浴槽水の温度を制御することができるようになっている。
【００９４】
ステップＳ４０４において、制御装置５０は、温度センサ１２で検出した浴槽水の温度（浴槽温度）が、所定温度（追い焚き設定温度）以上であるか否かを判定する。浴槽温度が所定の温度以上である場合（Ｓ４０４・Ｙｅｓ）、制御装置５０の処理はステップＳ４０６に進む。浴槽温度が所定の温度以上でない場合（Ｓ４０４・Ｎｏ）、制御装置５０の処理はステップＳ４０３に戻り、浴槽温度が所定の温度以上となる（Ｓ４０４・Ｙｅｓ）まで、ステップＳ４０３からステップＳ４０４を繰り返す。
【００９５】
ステップＳ４０５において、制御装置５０は、追い焚き運転を中止する。これにより、いわゆる空焚きを防止する。そして、制御装置５０の処理はステップＳ４０６に進む。
【００９６】
ステップＳ４０６において、制御装置５０は、遮断弁６を閉弁する。
【００９７】
ステップＳ４０７において、制御装置５０は、風呂循環ポンプ７を停止（ＯＦＦ）させ、追い焚き運転を終了する。
＜たし湯運転、さし湯運転、さし水運転＞
次に、たし湯運転、さし湯運転、さし水運転について、説明する。たし湯運転は、風呂設定温度の湯水を所定量注湯するものであり、後述する図５の注湯制御と同等であり、説明を省略する。さし湯運転は、風呂設定温度より高い「さし湯設定温度」の湯水を所定量注湯するものであり、後述する図５の注湯制御（Ｓ５０５）における風呂設定温度をさし湯設定温度に読み替えて実行すればよく、説明を省略する。さし水運転は、風呂設定温度より低い「さし水設定温度」の湯水を所定量注湯するものであり、後述する図５の注湯制御（Ｓ５０５）における風呂設定温度をさし水設定温度に読み替えて実行すればよく、説明を省略する。
＜注湯制御＞
次に、注湯制御（図２のＳ２０１，Ｓ２０４，Ｓ２１０，Ｓ２１２，Ｓ２１４、図３のＳ３０３，Ｓ３０９参照）について図５から図７を用いて説明する。ステップＳ５０１において、制御装置５０は、給湯優先判定を行う。給湯優先判定について、図６を用いて更に説明する。
【００９８】
ステップＳ６０１において、制御装置５０は、給湯流量センサ１４で給湯端末１２０への流量（給湯流量）を検知したか否かを判定する。給湯流量を検知した場合（Ｓ６０１・Ｙｅｓ）、制御装置５０の処理はステップＳ６０２に進む。給湯流量を検知していない場合（Ｓ６０１・Ｎｏ）、制御装置５０の処理はステップＳ６０７に進む。
【００９９】
ステップＳ６０２において、制御装置５０は、給湯設定温度と風呂設定温度とが異なっているか否かを判定する。給湯設定温度と風呂設定温度とが異なっている場合（Ｓ６０２・Ｙｅｓ）、制御装置５０の処理はステップＳ６０３に進む。給湯設定温度と風呂設定温度とが異なっていない場合（等しい場合）（Ｓ６０２・Ｎｏ）、制御装置５０の処理はステップＳ６０７に進む。
【０１００】
ステップＳ６０３において、制御装置５０は、注湯電磁弁５が閉弁しているか否かを判定する。注湯電磁弁５が閉弁している場合（Ｓ６０３・Ｙｅｓ）、制御装置５０の処理は、ステップＳ６０１に戻る。注湯電磁弁５が閉弁していない場合（Ｓ６０３・Ｎｏ）、制御装置５０の処理は、ステップＳ６０４に進む。
【０１０１】
ちなみに、ステップＳ６０３において、注湯電磁弁５が閉弁している場合（Ｓ６０３・Ｙｅｓ）とは、給湯端末１２０に給湯しているときに湯張り運転が開始された場合（即ち、図５のＳ５０１の給湯優先判定の場合）や、後述するステップＳ６０６で閉弁されステップＳ６０１からステップＳ６０３を繰り返している場合である。また、ステップＳ６０３において、注湯電磁弁５が閉弁していない場合（Ｓ６０３・Ｎｏ）とは、浴槽１００に給湯（湯張り）しているときに給湯端末１２０への給湯が開始された場合（即ち、図５のＳ５０４の給湯優先判定の場合）である。
【０１０２】
ステップＳ６０４において、制御装置５０は、流量調整弁４を風呂流量の増加方向へ制御する。ステップＳ６０５において、制御装置５０は、遮断弁６を閉弁する。ステップＳ６０６において、制御装置５０は、注湯電磁弁５を閉弁する。制御装置５０の処理はステップＳ６０１に戻る。
【０１０３】
ステップＳ６０７において、制御装置５０は、注湯電磁弁５を開弁する。ステップＳ６０８において、制御装置５０は、遮断弁６を開弁する。そして、給湯優先判定を終了する。
【０１０４】
このように、給湯優先判定では、給湯流量を検知し、かつ、給湯設定温度と風呂設定温度とが異なっている場合には、浴槽１００への給湯を停止させて、給湯端末１２０への給湯を優先するようになっている。そして、浴槽１００への給湯が可能となると、注湯電磁弁５と遮断弁６を開弁して、給湯優先判定を終了する。
【０１０５】
図５に戻り、ステップＳ５０２において、制御装置５０は、注湯流量センサ１３で浴槽端末１１０への流量（風呂流量）を検知したか否かを判定する。風呂流量を検知した場合（Ｓ５０２・Ｙｅｓ）、制御装置５０の処理はステップＳ５０３に進む。風呂流量を検知していない場合（Ｓ５０２・Ｎｏ）、制御装置５０の処理は風呂流量を検知するまでステップＳ５０２を繰り返す。
【０１０６】
ステップＳ５０３において、制御装置５０は、流量制御を行う。流量制御について、図７を用いて説明する。
【０１０７】
ステップＳ７０１において、制御装置５０は、注湯流量センサ１３で検知した風呂流量が所定流量未満であるか否かを判定する。風呂流量が所定流量未満である場合（Ｓ７０１・Ｙｅｓ）、制御装置５０の処理はステップＳ７０２に進み、制御装置５０は流量調整弁４を風呂流量の増加方向へ制御して、制御装置５０の処理はステップＳ７０１に戻る。
【０１０８】
風呂流量が所定流量未満でない場合（Ｓ７０１・Ｎｏ）、制御装置５０の処理はステップＳ７０３に進む。
【０１０９】
ステップＳ７０３において、制御装置５０は、注湯流量センサ１３で検知した風呂流量が所定流量より大きいか否かを判定する。風呂流量が所定流量より大きい場合（Ｓ７０３・Ｙｅｓ）、制御装置５０の処理はステップＳ７０４に進み、制御装置５０は流量調整弁４を風呂流量の減少方向へ制御して、制御装置５０の処理はステップＳ７０１に戻る。
【０１１０】
風呂流量が所定流量より大きくない場合（Ｓ７０３・Ｎｏ）、流量制御を終了する。
【０１１１】
図５に戻り、ステップＳ５０４において、制御装置５０は、給湯優先判定（図６参照）を行う。
【０１１２】
ステップＳ５０５において、制御装置５０は、所定温度制御を実施する。具体的には、制御装置５０は、ポンプ３を動作させ、温度センサ１２で検知した温度が風呂設定温度となるように、ポンプ３の回転速度を制御する。
【０１１３】
ステップＳ５０６において、制御装置５０は、所定の注湯量に到達したか否かを判定する。所定の注湯量に到達していない場合（Ｓ５０６・Ｎｏ）、制御装置５０の処理はステップＳ５０２に戻り、所定の注湯量に到達するまでステップＳ５０２からステップＳ５０６を繰り返す。
【０１１４】
所定の注湯量に到達した場合（Ｓ５０６・Ｙｅｓ）、制御装置５０の処理はステップＳ５０７に進む。
【０１１５】
ステップＳ５０７において、制御装置５０は、遮断弁６を閉弁する。ステップＳ５０８において、制御装置５０は、注湯電磁弁５を閉弁し、注湯制御を終了する。なお、ポンプ３は、注湯流量センサ１３で検知した流量および給湯流量センサ１４で検知した流量がゼロとなると停止するようになっている。
＜浴槽内残水確認＞
次に、浴槽内残水確認（図２の２０２，Ｓ２０５、図３のＳ３０１，Ｓ３０４，Ｓ３１０、図４のＳ４０１参照））について、図８を用いて説明する。
【０１１６】
ステップＳ８０１において、制御装置５０は、風呂循環ポンプ７を動作（ＯＮ）させる。ステップＳ８０２において、制御装置５０は、遮断弁６を開弁する。
【０１１７】
ステップＳ８０３において、制御装置５０は、浴槽１００内に残水（浴槽水）が有るか否かを判定する。具体的には、制御装置５０は、流量センサ１０で風呂循環回路を循環する流量を検知したか否かを判定する。残水検知有りの場合（Ｓ８０３・Ｙｅｓ）、制御装置５０の処理はステップＳ８０４に進む。残水検知なしの場合（Ｓ８０３・Ｎｏ）、制御装置５０の処理はステップＳ８０５に進む。
【０１１８】
ステップＳ８０４において、制御装置５０は、継続して残水検知有りと判定し、所定時間が経過したか否かを判定する。所定時間が経過していない場合（Ｓ８０４・Ｎｏ）、制御装置５０の処理は、ステップＳ８０３に戻る。所定時間が経過した場合（Ｓ８０４・Ｙｅｓ）、制御装置５０の処理は、ステップＳ８０６に進む。
【０１１９】
ステップＳ８０５において、制御装置５０は、継続して残水検知なしと判定し、所定時間が経過したか否かを判定する。所定時間が経過していない場合（Ｓ８０５・Ｎｏ）、制御装置５０の処理は、ステップＳ８０３に戻る。所定時間が経過した場合（Ｓ８０５・Ｙｅｓ）、制御装置５０の処理は、ステップＳ８０７に進む。
【０１２０】
ステップＳ８０６において、制御装置５０は、浴槽１００内に残水（浴槽水）がある（浴槽内残水有り）と判定する。そして、制御装置５０の処理は、ステップＳ８０８に進む。
【０１２１】
ステップＳ８０７において、制御装置５０は、浴槽１００内に残水（浴槽水）がない（浴槽内残水無し）と判定する。そして、制御装置５０の処理は、ステップＳ８０８に進む。
【０１２２】
ステップＳ８０８において、制御装置５０は、追い焚き運転中であるか否かを判定する。追い焚き運転中である場合（Ｓ８０８・Ｙｅｓ）、制御装置５０の処理は、ステップＳ８０９，Ｓ８１０を省略し、浴槽内残水確認を終了する。追い焚き運転中でない場合（Ｓ８０８・Ｎｏ）、制御装置５０の処理は、ステップＳ８０９に進む。
【０１２３】
ステップＳ８０９において、制御装置５０は、遮断弁６を閉弁する。
【０１２４】
ステップＳ８１０において、制御装置５０は、風呂循環ポンプ７を停止（ＯＦＦ）させ、浴槽内残水確認を終了する。
【０１２５】
このように、給湯機Ｓは、浴槽１００（浴槽端末１１０）への給湯を終了する際、注湯電磁弁５を閉弁するより前に遮断弁６を閉弁するようになっている（図５のＳ５０７，Ｓ５０８参照）。これにより、配管３６ａ，３６ｂに水がある状態で遮断弁６を閉弁することができ、給湯機Ｓよりも下方に浴槽１００（浴槽端末１１０）を設置する構成であっても、配管３６ａ，３６ｂの残水の落水を防止することができる。
【０１２６】
これにより、配管３６ａに配設された水位センサ１１により浴槽１００の水位を検出することができる（図２のＳ２１１，Ｓ２１３，Ｓ２１５参照）。また、配管３６ａ，３６ｂに残水があるため、呼水することなく風呂循環ポンプ７により浴槽１００の浴槽水を循環させることができる（図２のＳ２０２，Ｓ２０５、図３のＳ３０４，Ｓ３１０）。
【０１２７】
また、給湯機Ｓは、風呂循環回路における浴槽水の循環を終了する際、即ち、追い焚き運転を終了する際や浴槽内残水確認を終了する際、風呂循環ポンプ７を停止させる前に遮断弁６を閉弁するようになっている（図４のＳ４０６，Ｓ４０７、図８のＳ８０９，Ｓ８１０参照）。これにより、配管３６ａ，３６ｂに水がある状態で遮断弁６を閉弁することができ、給湯機Ｓよりも下方に浴槽１００（浴槽端末１１０）を設置する構成であっても、配管３６ａ，３６ｂの残水の落水を防止することができる。
【０１２８】
これにより、配管３６ａに配設された水位センサ１１により浴槽１００の水位を検出することができる（図３のＳ３０８参照）。また、配管３６ａ，３６ｂに残水があるため、呼水することなく風呂循環ポンプ７により浴槽１００の浴槽水を循環させることができる。
【０１２９】
また、配管３４，３５ｂ内の残水が負圧により落水することを考慮して、風呂循環ポンプ７を動作させる（図８のＳ８０１参照）より前に、注湯電磁弁５を開弁して配管３４，３５ｂに注水し、注湯電磁弁５を閉弁してから、風呂循環ポンプ７を動作させ、遮断弁６を開弁してもよい（図８のＳ８０１，Ｓ８０２参照）。
【０１３０】
これにより、より確実に風呂循環ポンプ７により浴槽水を循環させることができる。また、注湯電磁弁５を開弁している間は、遮断弁６が閉弁されているため、浴槽端末１１０の循環時吸込口側（配管３６ｂと接続される側）から水が浴槽１００内に流入することがないので、使用者に違和感を生じさせることを防止することができる。
【０１３１】
また、湯張り後に、浴槽１００の浴槽水の温度を検出する場合、風呂循環ポンプ７を動作させて浴槽水を配管３６ａまで引き込んで、温度センサ１２で引き込んだ浴槽水の温度を検出することにより行う。この場合も、風呂循環ポンプ７を動作させ、遮断弁６を開弁して、浴槽水を配管３６ａまで引き込んで、温度センサ１２で温度を検出した後に、遮断弁６を閉弁した後に風呂循環ポンプ７を停止させる。これにより、配管３６ａに配設された水位センサ１１により浴槽１００の水位を検出することができる。また、配管３６ａ，３６ｂに残水があるため、呼水することなく風呂循環ポンプ７により浴槽１００の浴槽水を循環させることができる。
【０１３２】
また、給湯機Ｓは、湯張り運転中に給湯端末１２０への給湯が要求された場合には、流量調整弁４を風呂流量の増加する方向に制御した後に、遮断弁６、注湯電磁弁５の順番で閉弁するようになっている（図６のＳ６０４からＳ６０６参照）。
【０１３３】
湯張り中に給湯端末１２０に給湯すると、風呂流量が低下するため、配管３６ａ，３６ｂ内の水が減少するおそれがある。給湯機Ｓは、遮断弁６を閉弁する前に流量調整弁４を制御して風呂流量を増加させるので、配管３６ａ，３６ｂに水がある状態で遮断弁６を閉弁することができ、給湯機Ｓよりも下方に浴槽１００（浴槽端末１１０）を設置する構成であっても、配管３６ａ，３６ｂの残水の落水を防止することができる。
【０１３４】
これにより、配管３６ａに配設された水位センサ１１により浴槽１００の水位を検出することができる。また、配管３６ａ，３６ｂに残水があるため、呼水することなく風呂循環ポンプ７により浴槽１００の浴槽水を循環させることができる。
≪変形例≫
なお、本実施形態に係る給湯システムは、上記実施形態の構成に限定されるものではなく、発明の趣旨を逸脱しない範囲内で種々の変更が可能である。
【０１３５】
給湯システムは、追い焚き熱交換器９をタンク１の外部に配置することで落水を防止できるため、補完的に機能する遮断弁６が給湯機に設けられないものであっても良い。
【０１３６】
浴槽１００への注湯開始時に、注湯電磁弁５を開弁した後に遮断弁６を開弁する（図Ｓ６０７，Ｓ６０８参照）ものとして説明したが、開弁時はこの順序に限られるものではなく、遮断弁６を開弁した後に注湯電磁弁５を開弁してもよく、注湯電磁弁５と遮断弁６を同時に開弁してもよい。
【０１３７】
風呂循環ポンプ７の動作時に、風呂循環ポンプ７を動作させた後に遮断弁６を開弁するものとして説明したが、これに限られるものではなく、例えば、風呂循環ポンプ７を動作させると同時に遮断弁６を開弁する構成であってもよい。
【０１３８】
また、遮断弁６を開弁した後に風呂循環ポンプ７を動作させる構成であってもよいが、遮断弁６を開弁してから風呂循環ポンプ７を動作させるまでの間に負圧により吸気され残水が落水するおそれがあるため、遮断弁６を開弁してから風呂循環ポンプ７を動作させるまでの時間はできるだけ短いことが望ましい。
【０１３９】
給湯機Ｓは、熱交換器２によりタンク１内の熱媒体と熱交換することにより水道水を加熱して浴槽端末１１０、給湯端末１２０に供給するものとして説明したが、これに限られるものではない。例えば、タンク１内に水道水を供給して加熱手段（図示せず）により沸き上げして、高温の湯を貯留しておき、タンク１に貯留された湯と水道水を混合して適温水を生成し、それを浴槽端末１１０、給湯端末１２０に供給する構成であってもよい。
【符号の説明】
【０１４０】
Ｓ      給湯機
１      タンク
２      熱交換器（温度制御手段）
３      ポンプ（温度制御手段）
４      流量調整弁（流量制御手段）
５      注湯電磁弁（風呂注湯手段）
６      遮断弁（風呂循環回路開閉手段）
７      風呂循環ポンプ（風呂循環手段）
９      追い焚き熱交換器（循環加熱手段）
１０    流量センサ
１１    水位センサ（水位検出手段）
１２    温度センサ
１３    注湯流量センサ
１４    給湯流量センサ
１５    給湯温度センサ
５０    制御装置（制御手段）
１００  浴槽
１１０  浴槽端末
１２０  給湯端末
【図１】
2014047968.tif 000004
【図２】
2014047968.tif 000005
【図３】
2014047968.tif 000006
【図４】
2014047968.tif 000007
【図５】
2014047968.tif 000008
【図６】
2014047968.tif 000009
【図７】
2014047968.tif 000010
【図８】
2014047968.tif 000011